(57)【特許請求の範囲】
【請求項１】
車輌上にブームを旋回及び起伏自在に設置し、且つブーム先端部に作業員搭乗用の作業台を取付けた高所作業車において、
前記ブームの上面の左右両サイド付近に、ブーム長さ方向に所定長さを有した棒状で左右一対のガード部材を、該両ガード部材の少なくともブーム先端側の各端部がブーム上面に近接又は接合する状態で取付けているとともに、
前記両ガード部材の少なくともブーム先端側の各端部をブーム上面に向けて下降傾斜させて、該下降傾斜部によりブーム上面と前記ガード部材のブーム先端側の各端部との間に架線が引っ掛かる角ができにくくなるようにしている、
ことを特徴とする高所作業車における長尺物格納装置。
【請求項２】
請求項１において、
前記両ガード部材間に置いた長尺物をブーム上面又は両ガード部材に縛り付けるための締付バンドを備えている、
ことを特徴とする高所作業車における長尺物格納装置。
【請求項３】
請求項１又は２において、
前記両ガード部材のブーム後端側に、長尺物のずり落ちを防止するためのストッパーを設けている、
ことを特徴とする高所作業車における長尺物格納装置。
【発明の詳細な説明】
【技術分野】
【０００１】
本願発明は、例えば電柱周りで高所作業を行う際に用いられる長尺物を格納するための高所作業車における長尺物格納装置に関するものである。尚、本願で対象となる長尺物としては、例えば物品落下防止用の防護ネット（不使用時には太棒状に巻き畳まれる）や架線被覆用のポリ管の束等がある。
【背景技術】
【０００２】
高所作業車による電柱周りの作業時には、作業位置の直下に物品（電柱に取付ける工具や機材等）の落下を防止するための防護ネットを張設することが多い。この種の防護ネットは、複数本のフレーム間にネットを張設したもので、不使用時には太棒状に巻き畳まれる。そして、この防護ネットは、太棒状に巻き畳んだ状態で高所作業車の余剰スペースに積載して作業現場まで搬送される。
【０００３】
又、電柱周りの作業の中には、架線をポリ管で被覆する工事もあり、その場合には該ポリ管の束を高所作業車に積載して作業現場まで搬送する。尚、以下の説明では、太棒状に巻き畳んだ防護ネットやポリ管束を総称して長尺物ということがある。
【０００４】
この種の長尺物（太棒状に巻き畳んだ防護ネットやポリ管束）を高所作業車に積載して搬送する場合に、該長尺物を車輌の荷台上に置くと邪魔になる。
【０００５】
他方、高所作業車にはブーム（伸縮ブーム）が用いられているが、該ブームの上面は一般に遊休スペースとなっている。そして、上記の長尺物をブーム上面に格納すると、該長尺物の置き場所に困らないとともに、該ブーム上面を長尺物格納場所として有効利用できるという利点がある。
【０００６】
ところで、特開２００１−３１３８２号公報（特許文献１）には、高所作業車のブーム上面を、作業台に取付けて荷揚げ用に使用するサブブームの格納場所として利用したものが開示されている。この公知例のサブブーム格納装置は、ブーム上面に載置台や昇降装置やロック機構等を備え、硬質で定形のサブブームをブーム上面に格納することができるようになっている。
【先行技術文献】
【特許文献】
【０００７】
【特許文献１】特開２００１−３１３８２号公報
【発明の概要】
【発明が解決しようとする課題】
【０００８】
ところが、上記公知例（特開２００１−３１３８２号公報）のサブブーム格納装置では、次のような問題がある。
【０００９】
まず、この公知例のサブブーム格納装置では、ブーム上面をサブブームの格納場所として有効利用できるものの、その他（サブブーム以外）の不特定な形状の長尺物（例えば本願で対象にしている防護ネットやポリ管束）を格納するのに適さない構造となっている。即ち、防護ネット（太棒状に巻き畳んだもの）や不特定本数のポリ管の束からなる長尺物では、その太さ（直径）がバラバラであって、定形の長尺物（サブブーム）しかセットできない上記公知例のものでは、不特定形状の長尺物に対応できない。
【００１０】
又、この公知例のサブブーム格納装置では、載置台や昇降装置やロック機構等が設けられていて、構造がかなり複雑であり、且つ製作コストが高くつく。
【００１１】
さらに、この公知例のサブブーム格納装置では、その載置台や昇降装置やロック機構等がブーム上面に対して離間していたり突起状であったりするために、高所作業時において格納装置が架線に接触した状態でブームを起伏又は旋回させると、該格納装置で架線を引っ掛けてしまい、該架線を損傷させる虞れがある。
【００１２】
そこで、本願発明は、不特定な形状の長尺物であってもブーム上面に安定姿勢で格納でき、且つ簡単な構造で、しかも高所作業時において架線に引っ掛かりにくい構造の長尺物格納装置を提供することを目的としてなされたものである。
【課題を解決するための手段】
【００１３】
本願発明は、上記課題を解決するための手段として次の構成を有している。
【００１４】
［本願請求項１の発明］
本願請求項１の発明は、車輌上にブームを旋回及び起伏自在に設置し、且つブーム先端部に作業員搭乗用の作業台を取付けた高所作業車に装備される長尺物格納装置を対象にしている。尚、本願の長尺物格納装置で格納される長尺物としては、例えば太棒状に巻き畳まれた防護ネットや架線被覆用のポリ管の束等があるが、これらの長尺物はかなりの長さ（例えば２ｍ前後の長さ）を有している。
【００１５】
そして、この請求項１の長尺物格納装置は、ブームの上面の左右両サイド付近にブーム長さ方向に所定長さを有した棒状で左右一対のガード部材を取付けて構成されている。
【００１６】
両ガード部材の長さは、特に限定するものではないが、例えば１.５〜２ｍ程度のものが採用できる。両ガード部材間の間隔は、ブーム上面の左右幅の範囲内で適宜間隔に設定できる（例えば該間隔を２０〜３０cm程度にすることができる）。尚、この両ガード部材は、それぞれ長さ方向の適数箇所を所定長さの支持脚を介してブーム上面に支持されるが、両ガード部材の中間長さ部分は、ガードとして機能させるためにブーム上面から所定高さ（例えば５〜１０cm程度）離間させた位置に設置するとよい。
【００１７】
ところで、左右のガード部材は、それぞれかなりの長さ（例えば１.５〜２ｍ程度）を有している関係で、高所作業時においてブームを大きく起仰させたときに両ガード部材のブーム先端側の端部が電柱間に架設されている架線（低位架線）の高さを超えることがある。そして、該架線の近くでブームを起伏させたり旋回させたりした場合には、ガード部材のブーム先端側寄り部分が架線に接触して該ガード部材先端部で架線を引っ掛ける虞れがある。特に、両ガード部材のブーム先端側の端部がブーム上面から離間していると、該ガード部材端部とブーム上面との間に隙間ができ、電柱周りでの高所作業時に、架線（低位架線）が上記隙間からガード部材とブーム上面との間に侵入する虞れがある。そして、架線がガード部材とブーム上面との間に侵入した状態で、ブームを誤って起伏させたり旋回させたりすると、該架線に大きなダメージを与えてしまうことになる。
【００１８】
そこで、本願請求項１の長尺物格納装置では、両ガード部材をブーム上面に対して、該両ガード部材の少なくともブーム先端側の各端部がブーム上面に近接又は接合する状態で取付けている。
【００１９】
両ガード部材におけるブーム先端側の各端部は、ブーム上面に対して接合させる（この場合は該ガード部材端部をブーム上面に溶接してもよい）ことが好ましいが、ガード部材端部とブーム上面間に架線が侵入しない程度まで該ガード部材端部をブーム上面に近接させた状態で設置することもできる。
【００２０】
尚、両ガード部材におけるブーム基端側の各端部は、ブームを大きく起仰させたときでも、電柱間に架設されている架線（低位架線）の高さよりかなり低位置になるので、該ガード部材のブーム基端側端部が架線に接触することがない。従って、ガード部材のブーム基端側端部とブーム上面との間には架線が侵入することがないので、該ガード部材のブーム基端側端部においては、架線侵入防止のために該ガード部材のブーム基端側端部をブーム上面に近接（又は接触）させる必要は特にないが、該ガード部材のブーム基端側端部も先端側端部と同様にブーム上面に近接（又は接触）させても何ら差し支えない。
【００２１】
又、本願請求項１の長尺物格納装置では、前記両ガード部材の少なくともブーム先端側の各端部をブーム上面に向けて下降傾斜させて、該下降傾斜部によりブーム上面と該ガード部材のブーム先端側の各端部との間に架線が引っ掛かる角ができにくくなるようにしている。
【００２２】
尚、両ガード部材におけるブーム基端側の各端部は、ブームを大きく起仰させたときでも、電柱間に架設されている架線（低位架線）の高さより低位置になる（架線に接触しない）ので、架線引っ掛かり防止のために該ガード部材のブーム基端側端部を下降傾斜させる必要は特にないが、該ガード部材のブーム基端側端部も先端側端部と同様にブーム上面に向けて下降傾斜させても何ら差し支えない。
【００２３】
本願請求項１の長尺物格納装置は、左右のガード部材を基本構成としたものであるから、その構成が非常に簡単となっている。又、この長尺物格納装置に長尺物を格納する場合は、ブーム上面における左右の両ガード部材間に長尺物を配置するが、両ガード部材間の長尺物格納スペースは上方が開放されているので、該長尺物をブームの上方から出し入れすることができる。さらに、両ガード部材間の長尺物格納スペースは、上方が開放されているので、格納される長尺物の直径が不特定であっても支障なく格納できる。尚、長尺物を両ガード部材間に格納した状態では、該長尺物を適宜の手段によりブーム上面あるいはガード部材に固定しておくとよい。
【００２４】
又、高所作業時においてブームを大きく起仰させたときには、ブーム上面のガード部材の上端寄り位置が架線（低位架線）に接触することがあるが、両ガード部材のブーム先端側の各端部をブーム上面に近接又は接合させていると、ガード部材先端付近に低位架線が接触しても、該低位架線がガード部材端部とブーム上面との間に侵入することがない。
【００２５】
特に、両ガード部材のブーム先端側の各端部をブーム上面に向けて下降傾斜させて、該下降傾斜部によりブーム上面と該ガード部材のブーム先端側の各端部との間に架線が引っ掛かる角ができにくくなるようにしているので、ブームを大きく起仰させて架線がガード部材先端寄り位置（下降傾斜部）に接触した状態でブームを旋回させても、該ガード部材先端寄り位置が架線に対して滑るようになる（架線がガード部材先端部に引っ掛からない）。
【００２６】
［本願請求項２の発明］
本願請求項２の発明は、上記請求項１の長尺物格納装置において、両ガード部材間に置いた長尺物をブーム上面又は両ガード部材に縛り付けるための締付バンドを備えたものである。
【００２７】
この締付バンドは、格納すべき長尺物の形状が不特定であったり、あるいは不安定な長尺物であっても、支障なく縛り付けることができるものである。
【００２８】
［本願請求項３の発明］
本願請求項３の発明は、上記請求項１又は２の長尺物格納装置において、両ガード部材のブーム後端側に長尺物のずり落ちを防止するためのストッパーを設けている。
【００２９】
このストッパーは、ブームを起仰させたときに、長尺物の後端側（下端側）の端面に衝合して、該長尺物がブーム上面に沿ってずり落ちるのを防止し得るものであれば適宜の構造のものが採用できる。尚、該ストッパーとしては、例えば、両ガード部材のブーム後端側に該両ガード部材に跨がって横架材を架設したものや、両ガード部材のブーム後端部分を相互に近接方向に折曲させたもの等が採用できる。
【発明の効果】
【００３０】
［本願請求項１の発明の効果］
本願請求項１の長尺物格納装置は、次のような効果がある。
【００３１】
まず、ブーム上面の左右両サイド付近にそれぞれ棒状のガード部材を取付けたものであるから、簡単な構成でもってブーム上面上に長尺物格納部を形成することができるという効果がある。
【００３２】
又、両ガード部材間の長尺物格納スペースは、上方が開放されているので、該格納スペース内に長尺物を出し入れする作業が非常に容易となるとともに、格納すべき長尺物の直径が不特定であっても該格納スペース内に支障なく格納することができるという効果がある。
【００３３】
さらに、高所作業時においてブームを大きく起仰させたときには、ブーム上面のガード部材の上端寄り位置が架線（低位架線）に接触することがあるが、両ガード部材のブーム先端側の各端部をブーム上面に近接又は接合させているので、ガード部材先端付近に架線が接触しても、該架線がガード部材端部とブーム上面との間に侵入することがなく、不用意に（誤って）ブームを起伏あるいは旋回させても、該ガード部材で架線を引っ掛けにくくなるという効果がある。
【００３４】
又、両ガード部材のブーム先端側の各端部をブーム上面に向けて下降傾斜させて、該下降傾斜部によりブーム上面と該ガード部材のブーム先端側の各端部との間に架線が引っ掛かる角ができにくくなるようにしているので、ブームを大きく起仰させて架線がガード部材先端寄り位置（下降傾斜部）に接触した状態でブームを起伏あるいは旋回させても、該ガード部材先端寄り位置が架線に対して滑り、従って架線がガード部材先端部に一層引っ掛かりにくくなるという効果もある。
【００３５】
［本願請求項２の発明の効果］
本願請求項２の長尺物格納装置には、両ガード部材間に置いた長尺物をブーム上面又は両ガード部材に縛り付けるための締付バンドを備えているので、両ガード部材間に長尺物を置いた状態で該長尺物を締付バンドで縛り付けることができる。
【００３６】
従って、この請求項２の長尺物格納装置では、上記請求項１の効果に加えて、該長尺物を締付バンドで締め付けておくことにより、高所作業車の走行時に振動があっても該長尺物がブーム上面上で動かないという効果がある。
【００３７】
又、長尺物を締付バンドで縛り付けることにより、長尺物の形状（特に太さ）が不特定であったり、不安定な長尺物であっても、安定した格納状態を維持できるという効果がある。
【００３８】
［本願請求項３の発明の効果］
本願請求項３の長尺物格納装置では、両ガード部材のブーム後端側に長尺物のずり落ちを防止するためのストッパーを設けているので、上記請求項１又は２の効果に加えて、長尺物をブーム上面に格納した状態でブームを起仰させても、該長尺物がストッパーによりずれ落ちるのを防止することができる（長尺物を安定姿勢で保持できる）という効果がある。
【図面の簡単な説明】
【００３９】
【図１】本願第１実施例の長尺物格納装置を備えた高所作業車の側面図である。
【図２】図１の高所作業車の平面図である。
【図３】図１の高所作業車に使用された長尺物格納装置の拡大斜視図である。
【図４】図１の長尺物格納装置付き高所作業車の使用状態説明図である。
【図５】格納すべき長尺物としてポリ管束を採用した場合の図３相当図である。
【図６】本願第２実施例の長尺物格納装置を備えたブーム部分の平面図である。
【発明を実施するための形態】
【００４０】
[実施例]
【００４１】
以下、図１〜図６を参照して本願実施例の長尺物格納装置を説明すると、図１〜図５には、本願第１実施例の長尺物格納装置５を備えた高所作業車を示し、図６には同第２実施例の長尺物格納装置５を備えたブーム３部分を示している。
【００４２】
図１及び図２の高所作業車は、車輌１の荷台１１上に設けた旋回台２に、基端ブーム３１と中間ブーム３２と先端ブーム３３からなる伸縮ブーム３を起伏自在に取付けているとともに、先端ブーム３３の先端部にレベルシリンダ４１及び旋回装置４２を介して作業台４を取付けて構成されている。
【００４３】
旋回台２は、荷台１１の後端部寄り位置に設置されており、伸縮ブーム３の格納姿勢では、該伸縮ブーム３の先端側が車輌１の前方に向くようになっている。
【００４４】
荷台１１には、前後左右に４つのアウトリガ１２が設けられており、この高所作業車で高所作業を行うときには、図４に示すように各アウトリガ１２をそれぞれ接地させる。
【００４５】
伸縮ブーム３は、起伏シリンダ１３によって起伏せしめられる一方、ブームに内蔵された伸縮シリンダによって伸縮せしめられる。
【００４６】
作業台４は、旋回装置４２に対してアーム４３で連結されている。そして、該アーム４３が旋回装置４２により水平旋回し得るとともに、アーム４３に対して作業台４が水平方向に首振り自在となっている。
【００４７】
この実施例の高所作業車では、ブーム３（基端ブーム３１）の一方の側面に、作業台４上に装着して荷揚げ用に使用するためのサブブーム６を格納している。尚、このサブブーム６は、本願の要件とするものではないので、その格納構造の詳細説明は省略する。
【００４８】
ところで、高所作業車による電柱周りの作業時には、例えば図４に示すように作業位置の直下に物品（電柱に取付ける工具や機材等）の落下を防止するための防護ネット１０′を張設することが多い。この種の防護ネット１０′は、複数本のフレーム間にネットを張設したもので、該防護ネットを作業現場まで搬送するには、図１〜図３（及び後述する図６）に符号１０で示すように太棒状に巻き畳んだ形態の長尺物とされる。尚、防護ネットを太棒状に巻き畳んだ長尺物１０の大きさは、該防護ネットの展張大きさにもよるが、例えば全長が１.８〜２ｍで太さが１５〜２０cm程度となる。又、この防護ネットは、太棒状に巻き畳んだ状態でその外側をカバーシート（又は袋）で被覆される。
【００４９】
他方、電柱周りの作業の中には、架線をポリ管で被覆する工事もあり、その場合には、図５に示すように複数本のポリ管１０ｂ，１０ｂ・・の束（符号１０の長尺物となる）を高所作業車に積載して作業現場まで搬送する。図５に示す複数本のポリ管１０ｂ，１０ｂ・・からなるポリ管束（長尺物）１０は、その長さ方向の適数箇所（図５の例では前後２箇所）を固縛バンド１０ｃ，１０ｃで固縛しておくと姿勢が安定する。尚、このポリ管束からなる長尺物１０も、例えば全長が１.８〜２ｍ程度であり、太さはポリ管１０ｂの本数にもよるが１５〜２０cm程度にできる。
【００５０】
尚、以下の説明では、図１〜図３及び図６に示す太棒状に巻き畳んだ防護ネットや、図５に示すポリ管束を総称して長尺物１０（特許請求の範囲中の長尺物となる）ということがある。
【００５１】
この実施例の高所作業車には、伸縮ブーム３の基端ブーム３１の上面３１ａに、長尺物（太棒状に巻き畳んだ防護ネットやポリ管束）１０を格納するための長尺物格納装置５を設けている。尚、この実施例において、ブーム上面とは基端ブーム３１の上面３１ａのことである。
【００５２】
図１〜図５に示す第１実施例の長尺物格納装置５は、ブーム上面３１ａの左右両サイド付近に、ブーム長さ方向に所定長さを有した棒状で左右一対のガード部材５１，５１を取付けて構成されている。
【００５３】
両ガード部材５１，５１の長さは、特に限定するものではないが、例えば１.５〜２ｍ程度のものが採用できる。両ガード部材５１，５１間の間隔は、ブーム上面３１ａの左右幅の範囲内で適宜間隔に設定できる（例えば該間隔を２０〜３０cm程度にすることができる）。尚、この実施例では、図２に示すように、一方（図２の上側）のガード部材５１はブーム側縁に近接させた位置に設置しているが、他方（図２の下側）のガード部材５１はブーム側縁からやや中央側に寄せた位置に設置している。
【００５４】
各ガード部材５１，５１は、その中間部のかなりの長さ部分を直棒部（中間直棒部）５２とする一方、該中間直棒部５２の両端部をそれぞれ所定小長さ（例えば１５〜３０cm程度の長さ）だけブーム上面３１ａに向けて下降傾斜（下降傾斜部５３，５３）させた形状のものを採用している。そして、この各下降傾斜部５３，５３は、ブーム上面３１ａとガード部材５１の各端部との間に架線２３が引っ掛かる角ができにくくなるようにしたものである。
【００５５】
そして、この各ガード部材５１，５１は、ブーム上面３１ａの左右両サイド付近において前後向きの平行姿勢で、前後各下降傾斜部５３，５３のそれぞれ端部をブーム上面３１ａに接合させることにより、中間直棒部５２をブーム上面３１ａから所定高さ（例えば５〜１０cm程度）離間させた状態で設置している。又、各ガード部材５１，５１の中間直棒部５２，５２は、それぞれ長さ方向の適数箇所（図示例では３箇所ずつ）をブーム上面３１ａにそれぞれ支持脚５４，５４，５４で支持している。
【００５６】
各ガード部材５１，５１のそれぞれの端部は、ブーム上面３１ａに対して溶接により固定しておくと、該各ガード部材５１，５１の取付強度が増強されるので好ましいが、該各ガード部材５１，５１の各端部はブーム上面３１ａに対して単に接合させただけでもよいし、あるいは微小間隔をもって近接させたものでもよい。尚、ガード部材５１の端部をブーム上面３１ａに近接させて設置する場合は、該ガード部材５１の端部をブーム上面３１ａに対して、電柱に架設している架線（図４の符号２３）の太さより小さい間隔（例えば１〜２mm程度）にするとよい。
【００５７】
各ガード部材５１，５１の設置状態では、該各ガード部材５１，５１の端部寄り位置がブーム上面３１ａに向く下降傾斜部５３となっているので、ブーム上面３１ａとガード部材５１の端部との間に架線が引っ掛かる角ができにくくなり、後述するようにガード部材５１の上部寄り部分に架線２３が接触しても、該架線２３がガード部材５１の端部（付け根部分）に引っ掛からないようにしている。
【００５８】
第１実施例（図１〜図５）及び第２実施例（図６）の各長尺物格納装置５には、ブーム上面３１ａ上の両ガード部材５１，５１間に置いた長尺物１０を縛り付けるための締付バンド５７を設けている。この各実施例で使用されている締付バンド５７は、長尺物１０をブーム上面３１ａに縛り付けるようにしたものであるが、該締付バンド５７は長尺物１０を両ガード部材５１，５１に縛り付け得るようにしたものでもよい。
【００５９】
又、第１実施例（図１〜図５）及び第２実施例（図６）の各長尺物格納装置５には、両ガード部材５１，５１のブーム後端側に長尺物１０のずり落ちを防止するためのストッパーを設けている。
【００６０】
図１〜図５に示す第１実施例の長尺物格納装置５では、該ストッパーとして、両ガード部材５１，５１のブーム後端側に該両ガード部材５１，５１に跨がって横架材５５を架設したものを採用している。
【００６１】
他方、図６に示す第２実施例の長尺物格納装置５では、該ストッパーとして、両ガード部材５１，５１のブーム後端部分（各下降傾斜部５３，５３）を相互に近接方向に折曲させた先狭部５６で構成されている。尚、この第２実施例のストッパー（先狭部５６）では、ストッパーとしての別部材が不要となる。
【００６２】
そして、この各ストッパー（図２、図３、図５の横架材５５と、図６の先狭部５６）は、両ガード部材５１，５１間に格納される長尺物１０の後端面１０ａを衝合させることによって、ブーム３を起仰させたときに長尺物１０が自重でずり落ちるのを防止し得るようになっている。尚、ブーム起仰時における長尺物１０のずり落ち防止機能は、上記締付バンド５７で長尺物１０を締め付けることによっても発揮できるが、ストッパー（５５，５６）を設けると一層のずり落ち防止効果が得られる。
【００６３】
この実施例の長尺物格納装置５の使用方法及び機能について説明する。
【００６４】
まず、図１及び図２に示すように、ブーム３を車輌１上に格納した状態で、作業現場において使用される長尺物１０を図３（第２実施例の場合は図６）又は図５に示すようにブーム上面３１ａにおける両ガード部材５１，５１間に載せる。そのとき、両ガード部材５１，５１間の上部が開放されているので、該両ガード部材５１，５１間への長尺物収容作業は容易に行えるとともに、不特定形状の（例えば太さが一定しない）長尺物１０であっても格納が可能である。
【００６５】
又、このとき、長尺物１０の後端面１０ａがストッパー５５（又は５６）に衝合するように設置するとともに、該長尺物１０を締付バンド５７でブーム上面３１ａ又はガード部材５１に縛り付ける。この状態では、長尺物１が両ガード部材５１，５１で左右からガードされており、且つ該長尺物１０が締付バンド５７で縛り付けられているので、車輌走行時に振動があっても該長尺物１０を安定姿勢で保持できる。
【００６６】
又、この高所作業車は、長尺物１０を長尺物格納装置５に格納させたままで高所作業を行うことがあるが、その場合、ブーム３を起仰させても、長尺物１０が締付バンド５７でブーム上面（又はガード部材）に締め付けられており且つストッパー（５５，５６）で下方側から支持されているので、該長尺物１０が自重でずり落ちることはない。
【００６７】
他方、作業現場において、長尺物１０（例えば太棒状に巻き畳んだ防護ネット）を使用する際には、図１及び図２の状態から締付バンド５７を外し、該長尺物１０を両ガード部材５１，５１間から運び出して作業台４に積み込み、その作業台４を所定位置まで移動させて長尺物１０をセットする（図４の場合は、防護ネットを符号１０′で示すように電柱２１の所定高さに張設する）。
【００６８】
その後、図４に示すように、作業台４から高所作業（例えば高位架線２２の補修作業）を行う際には、ブーム３を大きく起仰させるが、そのとき、ブーム上面３１ａに設置しているガード部材５１の上部寄り位置が低位架線２３の高さに達することがある。そして、その状態で、誤ってブーム３を架線接触側に起伏させたり旋回させたりすると、ガード部材５１の上部寄り付近が低位架線２３に接触することがあるが、そのとき、ガード部材５１の端部寄りが下降傾斜部５３となっている（ブーム上面３１ａとガード部材５１のブーム先端側の端部との間に架線２３が引っ掛かる角ができにくい）ので、低位架線２３がガード部材５１の端部（下降傾斜部５３）に引っ掛からない（不用意に架線を損傷させない）という機能がある。又、ガード部材５１の端部は、ブーム上面３１ａに接合させている（微小間隔をもって近接させる場合もある）ので、ガード部材５１の上部寄り付近に接触していた架線２３が、ガード部材５１（下降傾斜部５３）の端部とブーム上面３１ａとの間に侵入することがない。従って、ブーム上面３１ａに長尺物格納装置５を設けたものであっても、電柱周りでの高所作業時に架線（特に低位架線２３）を損傷させる危険性が少なくなる。
【００６９】
尚、本願の長尺物格納装置５は、上記実施例の変形例として次のように構成することができる。
【００７０】
即ち、上記実施例では、各ガード部材５１，５１のそれぞれ両端部をブーム上面３１ａに接合（又は近接）させているが、ブーム起仰時に低位架線２３（図４）に接触する可能性があるのは、ガード部材５１におけるブーム先端側（上部側となる）の端部側だけであるので、ガード部材５１におけるブーム基端側（下部側となる）の端部は、ブーム上面３１ａに対して離間させたままでもよい。
【００７１】
又、これに関連して、ブーム３を大きく起仰させても、各ガード部材５１，５１におけるブーム基端側（下部側となる）の端部寄りには架線が接触しないので、該ガード部材５１におけるブーム基端側には下降傾斜部を設けなくてもよい。
【符号の説明】
【００７２】
１は車輌、２は旋回台、３はブーム、４は作業台、５は長尺物格納装置、１０は長尺物、２３は低位架線、３１は基端ブーム、３１ａはブーム上面（基端ブーム上面）、５１はガード部材、５２は中間直棒部、５３は下降傾斜部、５５，５６はストッパー、５７は締付バンドである。
【図１】
0005604070.tif 000002
【図２】
0005604070.tif 000003
【図３】
0005604070.tif 000004
【図４】
0005604070.tif 000005
【図５】
0005604070.tif 000006
【図６】
0005604070.tif 000007